(57)【特許請求の範囲】
【請求項１】
基板の実装面に実装され、複数直列に接続される電流依存型の発光素子と；
前記発光素子に電力を供給する電源と；
前記基板の実装面に配設され、前記発光素子のうち一部の発光素子と並列に接続され、当該並列に接続された一部の発光素子の数に応じた電圧を定電圧に調整する第２の電源で生成された電圧の供給を受けて動作して、所定の情報を出力する情報出力部と；
を具備する照明器具。
【請求項２】
前記発光素子は、Light  Emitting  Diode（ＬＥＤ）である請求項１に記載の照明器具。 
【請求項３】
前記情報出力部は、無線標識を出力する請求項１に記載の照明器具。 
【請求項４】
前記発光素子及び情報出力部は、光透過性カバーによって覆われている請求項１に記載の照明器具。
【発明の詳細な説明】
【技術分野】
【０００１】
本発明は、照明器具に関する。
【背景技術】
【０００２】
近年、携帯端末や、スマートフォンといった携帯型端末装置の普及により、ネットワークを介した広告配信などのネットワークを用いて情報配信を行うシステムが増加している。ネットワークを用いた情報配信としては、広告配信の他にも非常時における避難場所などの情報の配信やイベント情報の配信など様々な形態がある。このような情報配信には、特に、その端末装置が存在する場所に応じた情報の提供が望まれることが多い。
【０００３】
例えば、広告配信の場合を例に位置に応じた情報提供について説明する。端末装置を持った利用者がある店に入った場合に、その店が勧める商品などの情報が端末装置に送信される。利用者は端末装置に配信された情報を参照して、購買指針の決定などを行う。
【０００４】
このような位置に応じた情報配信において、各地点に情報提供用の装置を置くことは設備やコストの観点から困難である。例えば、フランチャイズ型の業種の場合、多数の店舗において同じ情報を提供することが考えられるが、そのような場合に各店舗に情報提供用のサーバを設置しては効率が悪い。
【０００５】
そこで、設備やコストの削減のために、ビーコンを用いたシステムが考えられている。ビーコンとは、赤外線通信などの無線通信によって小さなサイズのデータを送信するための信号であり、無線標識とも呼ばれる。以下では、ビーコンを用いて送信される情報を「ビーコン電文」という。ビーコンを用いたシステムとしては、例えば、比較的簡単なビーコン電文を比較的狭い範囲に送出し、ビーコン電文を受信した端末装置が、受信したビーコン電文により指定された上位サーバにアクセスして指定された情報を得るというシステムが考えられる。
【０００６】
ただし、ビーコンの送信装置を単体で設置する場合、ビーコンを出力するために電源の確保が重要となるが、電波の到達状況及び設置場所の環境などの諸条件により電源の確保が困難となるおそれがある。また、バッテリをビーコンの送信装置に搭載することが考えられるが、バッテリの充電及びバッテリ交換が必要となり、管理が煩雑になってしまう。
【０００７】
この点、照明器具は、その性質上電力が容易に供給される状態にある。そこで、照明器具にビーコンの送信装置を取り付けることが考えられる。
【０００８】
このような情報送信を行う照明器具として、照明器具において光源が配置されている基板上の面に位置情報送信機を配設する従来技術が提案されている。
【先行技術文献】
【特許文献】
【０００９】
【特許文献１】特開２０１４−１６３３８号公報
【発明の概要】
【発明が解決しようとする課題】
【００１０】
しかしながら、単に照明器具の電源をビーコン送信装置に利用した場合、ビーコン送信装置の配置によっては、安定した無線通信を行うことが困難となるおそれがある。
【００１１】
また、照明器具において光源が配置されている基板上の面に位置情報送信機を配設する従来技術を用いても、安定した電源が確保できないおそれもあり、安定した無線通信を行うことが困難となるおそれがある。
【００１２】
開示の技術は、上記に鑑みてなされたものであって、安定した無線通信を行う照明器具を提供することを目的とする。
【課題を解決するための手段】
【００１３】
本願の開示する照明器具は、一つの態様において、発光素子は、基板の実装面に実装され、複数直列に接続される電流依存型の部材である。電源は、前記発光素子に電力を供給する。情報出力部は、前記基板の実装面に配設され、前記発光素子のうち一部の発光素子と並列に接続され、当該並列に接続された一部の発光素子の数に応じた電圧を定電圧に調整する第２の電源で生成された電力の供給を受けて動作して、所定の情報を出力する。また、他の態様において、情報出力部は、前記基板の実装面に配設され、前記発光素子と直列に接続されて、前記電源から前記発光素子に入力される電力の供給を受けて動作して、所定の情報を出力する。
【図面の簡単な説明】
【００１４】
【図１】図１は、ビーコンを用いた情報提供システムのシステム構成図である。
【図２】図２は、照明器具のブロック図である。
【図３】図３は、第１の実施形態に係るビーコン送信部とＬＥＤ素子との接続の詳細を表す回路図である。
【図４】図４は、照明器具の一例を示す概略図である。
【図５Ａ】図５Ａは、照明器具の他の例の側面図である。
【図５Ｂ】図５Ｂは、図５ＡにおけるＡ−Ａ’断面の断面図である。
【図６】図６は、第２の実施形態に係るビーコン送信部とＬＥＤ素子との接続の詳細を表す回路図である。
【図７】図７は、ビーコン送信部の接続の他の例を表す回路図である。
【図８】図８は、第３の実施形態に係る照明器具の一例を示す概略図である。
【図９】図９は、図８におけるＢ−Ｂ’断面の断面図である。
【図１０】図１０は、第４の実施形態に係る照明器具のブロック図である。
【発明を実施するための形態】
【００１５】
以下に説明する実施形態に係る照明器具１は、ＬＥＤ電源制御部１０２と、発光素子と、ビーコン送信部１０１と、基板１３３とを具備する。発光素子は、基板１３３の実装面に実装される電流依存型の部材である。ＬＥＤ電源制御部１０２は、発光素子に電力を供給する電源である。ビーコン送信部１０１は、基板１３３の実装面に配設され、ＬＥＤ電源制御部１０２から発光素子に入力される電力の供給を受けて動作して、所定の情報を出力する。
【００１６】
また、以下に説明する実施形態に係る発光素子は、Light  Emitting  Diode（ＬＥＤ）素子１３１である。
【００１７】
また、以下に説明する実施形態に係るビーコン送信部１０１は、無線標識を出力する。
【００１８】
また、以下に説明する実施形態に係る発光素子及びビーコン送信部１０１は、光透過性カバー、例えば、樹脂製の光源カバー１１０によって覆われている。
【００１９】
また、以下に説明する実施形態に係るＬＥＤ素子１３１は１つ又は複数直列に接続される。ビーコン送信部１０１は、ＬＥＤ素子１３１のうち１つ又は複数のＬＥＤ素子１３１と並列に接続されて電源により電力の供給を受ける。
【００２０】
また、以下に説明する実施形態に係るＬＥＤ素子１３１は１つ又は複数直列に接続される。ビーコン送信部１０１は、ＬＥＤ素子１３１と直列に接続されて電源により電力の供給を受ける。
【００２１】
以下、図面を参照して、実施形態に係る制御システムを説明する。実施形態において同一の部位には同一の符号を付し、重複する説明は省略される。
【００２２】
（第１の実施形態）
まず、図１〜図５を用いて、第１の実施形態に係る制御システムについて説明する。
【００２３】
［情報提供システムの構成］
図１は、ビーコンを用いた情報提供システムのシステム構成図である。照明器具１は、例えば、コンビニエンスストアなどの商業用店舗に設置された照明である。照明器具１は、無線標識であるビーコンを出力するビーコン送信部１０１を備える。照明器具１については後で詳細に説明する。ビーコン送信部１０１は、近距離無線通信を用いてビーコンを出力する。
【００２４】
端末装置２は、スマートフォンやタブレット型ＰＣ（Personal  Computer）などの携帯型端末装置である。端末装置２は、ビーコン送信部１０１から出力されたビーコンを受信する。そして、端末装置２は、通常用ビーコンを受信した場合、広告用メッセージサーバ４からのメッセージ取得要求を基地局３へ送信する。その後、端末装置２は、メッセージ取得要求に応じたメッセージを基地局３から取得し、ディスプレイに表示するなどして操作者に提供する。
【００２５】
基地局３は、端末装置２による電話網などのネットワークへのアクセスを仲介する装置である。基地局３は、広告用メッセージサーバ４からのメッセージ取得要求を端末装置２から受信すると、広告用メッセージサーバ４に対してメッセージの取得要求を送信する。その後、基地局３は、広告用メッセージサーバ４から広告用のメッセージを取得する。そして、基地局３は、広告用メッセージを端末装置２へ送信する。
【００２６】
広告用メッセージサーバ４は、照明器具１が配置された施設に関する広告などの広告用メッセージを予め記憶している。そして、広告用メッセージサーバ４は、メッセージの取得要求を基地局３から受信すると、記憶している広告用メッセージを基地局３へ出力する。
【００２７】
［照明器具の構成］
図２は、照明器具のブロック図である。ここで、図２における各部を接続する線は電気の伝送路を表す。照明器具１は、図２に示すように、商用電源１０に接続されている。商用電源１０は、照明器具１に交流の電気を供給する。
【００２８】
照明器具１は、ビーコン送信部１０１、ＬＥＤ（Light  Emitting  Diode）電源制御部１０２及びＬＥＤ照明部１０３を有する。
【００２９】
ＬＥＤ電源制御部１０２は、商用電源１０から電力の供給を受ける。そして、ＬＥＤ電源制御部１０２は、供給された電気を交流（ＡＣ：Alternating  Current）から直流（ＤＣ：Direct  Current）に変換する。また、ＬＥＤ電源制御部１０２は、ＡＣ／ＤＣ変換した電気の電圧をＬＥＤ照明部１０３の駆動電圧に調整する。そして、ＬＥＤ電源制御部１０２は、電気を定電流にしてＬＥＤ照明部１０３へ供給する。この定電流を出力するＬＥＤ電源制御部１０２が、「定電流特性を持つ電源」の一例にあたる。
【００３０】
ＬＥＤ照明部１０３は、ＬＥＤ素子を有する発光部材である。ＬＥＤ素子は、電流が流れることにより発光する部材であり、「電流依存型の発光素子」の一例にあたる。ＬＥＤ照明部１０３は、供給された定電流をＬＥＤ素子に供給し、ＬＥＤ素子を発光させる。ここで、ＬＥＤ素子は、電流で発光するため、電流値が変化するとＬＥＤ素子の明るさが変化してしまい、安定した光源とならない。そこで、ＬＥＤ照明部１０３は、ＬＥＤ素子に定電流を流すことで、明るさを一定に維持する。
【００３１】
ビーコン送信部１０１は、出力部１１１及び電文記憶部１１２を有する。ビーコン送信部１０１は、ＬＳＩ（Large  Scale  Integration）などによって実現される。ここで、図２では、ビーコン送信部１０１がＬＥＤ照明部１０３から出力された電気の供給を受けているように記載しているが、ビーコン送信部１０１は、ＬＥＤ照明部１０３の電気の使用と並行して同じ電気を使用する。ビーコン送信部１０１及びＬＥＤ照明部１０３の接続の詳細については後で説明する。
【００３２】
電文記憶部１１２は、メモリなどの記憶装置である。電文記憶部１１２は、ビーコン電文を予め記憶している。ビーコン電文は、例えば、広告用メッセージサーバ４の識別情報を含む。このビーコン電文が、「所定の情報」の一例にあたる。
【００３３】
出力部１１１は、ビーコン電文を電文記憶部１１２から取得する。そして、出力部１１１は、ビーコン電文を送信するビーコンを出力する。
【００３４】
次に、図３を参照して、ビーコン送信部１０１及びＬＥＤ照明部１０３の接続の詳細について説明する。図３は、第１の実施形態に係るビーコン送信部とＬＥＤ素子との接続の詳細を表す回路図である。
【００３５】
図３に示すように、ＬＥＤ照明部１０３は、複数のＬＥＤ素子１３１が並列に接続されている。ＬＥＤ素子１３１は、基板上に配置される。このＬＥＤ素子１３１が、「発光素子」の一例にあたる。
【００３６】
そして、本実施形態では、２つのＬＥＤ素子１３１と並列にビーコン通信部１０１及び電源１３２が設けられている。
【００３７】
ここで、ＬＥＤ電源制御部１０２からの定電流の電気の電流値をｉとする。この場合、電流値ｉの定電流が直列に接続されたＬＥＤ素子１３１を流れることで、各ＬＥＤ素子１３１に係る電圧は等しくなる。そこで、１つのＬＥＤ素子１３１にかかる電圧をＶｆとすると、電源１３２は、２Ｖｆの電圧の供給を受ける。そして、電源１３２は、電圧を２Ｖｆの定電圧に調整してビーコン送信部１０１へ供給する。
【００３８】
ビーコン送信部１０１は、電源１３２から２Ｖｆの定電圧の電気の供給を受ける。そして、ビーコン送信部１０１は、供給された定電圧の電気を用いてビーコンを送信する。このように、ビーコン送信部１０１には、定電圧の電気が供給されるため、安定して駆動することができ、安定してビーコンの送出を行うことができる。
【００３９】
ここで、ビーコン送信部１０１にかかる電圧Ｖは、本実施形態では、ビーコン送信部１０１が２つのＬＥＤ素子１３１と並列に配置されているため、２Ｖｆとなる。すなわち、ビーコン送信部１０１を何個のＬＥＤ素子１３１と並列に接続するかにより、ビーコン送信部１０１に係る電圧を調整することができる。そこで、ビーコン送信部１０１を何個のＬＥＤ素子１３１と並列に接続するかは、ビーコン送信部１０１の駆動電圧によって決定されることが好ましい。
【００４０】
次に、図４を参照して、本実施形態に係る照明器具の一例について説明する。図４は、照明器具の一例を示す概略図である。図４は、照明器具の光源カバー１１０を付けた状態の平面図と光源カバー１１０を取り外した状態の平面図とを合わせて表している。具体的には、図４における右側が光源カバー１１０を付けた状態を表し、左側が光源カバー１１０を取り外した状態を表している。
【００４１】
照明器具１は、実際に施設に設置された状態では外側が光源カバー１１０で覆われている。光源カバー１１０は、光透過性カバーであり、少なくとも可視光、および無線で使用される周波数の電磁波を透過可能に構成され、例えば樹脂製やガラス製などを使用することができる。
【００４２】
光源カバー１１０の内部には、複数のＬＥＤ素子１３１が配置されている。ＬＥＤ素子１３１は、基板１３３上に搭載されている。さらに、基板１３３のＬＥＤ素子１３１と同じ面上に無線モジュール２００が搭載されている。無線モジュール２００は、アンテナや信号送信用回路などを有する。無線モジュール２００がビーコン送信部１０１の一例にあたる。なお、図４では基板１３３の端部側に配置されている。具体的には、基板１３３の長手方向最端部に配置されたＬＥＤ素子１３１と基板１３３の端部との間に配置される。これによって、基板１３３の端部のスペースを有効に利用することができる。また、無線モジュール２００は基板１３３の中央側に配置してもよい。例えば、ＬＥＤ素子１３１の間またはＬＥＤ素子１３１の配列方向に対して基板１３３の短手方向にずれた位置に配置してもよい。
【００４３】
さらに、図５Ａ及び図５Ｂを参照して、本実施形態に係る照明器具の他の例について説明する。図５Ａは、照明器具の他の例の側面図である。図５Ｂは、図５ＡにおけるＡ−Ａ’断面の断面図である。
【００４４】
図５Ａにおける照明器具も外側が、光源カバー１１０で覆われている。この光源カバー１１０も、例えば樹脂製やガラス製などである。
【００４５】
そして、光源カバー１１０の内部に、基板１３３が配置され、その基板１３３上にＬＥＤ素子１３１が搭載されている。図５Ｂでは、１つの光源としてＬＥＤ素子１３１が記載されているが、実際には、複数のＬＥＤ素子１３１がまとまって、一つの光源となっている。さらに、基板１３３のＬＥＤ素子１３１と同じ面上に無線モジュール２００が搭載されている。
【００４６】
［第１の実施形態の効果］
以上に説明したように、本実施形態に係る照明器具は、ＬＥＤ照明部に供給される電気を用いてビーコン送信部が動作し、ビーコンを送出する。これにより、ビーコン送信部は、容易に電源を確保することができる。また、定常的に電力が供給されるため、バッテリの充電や交換などといった作業を行わずにすみ、運用が容易となる。
【００４７】
また、ビーコン送信部は、ＬＥＤ素子が配設された基板のＬＥＤ素子と同じ面に配設されている。ＬＥＤ素子を覆う光源カバーは、透光性を求められるため、樹脂やガラスなどの光を通す部材で形成されており、ビーコンなどの電波も透過する。そのため、本実施形態に係る照明器具は、安定してビーコンを送信することができる。
【００４８】
また、ビーコン送信部は照明器具内に収まり、ビーコン送信装置として単独の機器を設置しなくてよくなるため、商業用店舗などに置いて美観を損ねなくて済む。
【００４９】
さらに、本実施形態に係る照明器具は、ビーコン送信部がＬＥＤ素子と並列に接続される。ＬＥＤ素子は、一般的には定電流制御が行われる。そして、ＬＥＤ素子は、比較的安定した低電圧特性を示すため、ビーコン送信部に安定電源を供給することができ、ビーコン送信部は、安定したビーコン送信を行うことができる。また、ＬＥＤ素子と並行にビーコン送信部を配置することで、ビーコン送信部に定電圧が供給されるので、新たにビーコンを送信する無線モジュールを開発しなくても、汎用的な無線モジュールを用いることができ、製造が容易となる。
【００５０】
加えて、ＬＥＤ電源からの結線は、ビーコン送信部用に新たな結線を増やさなくてもよく、ＬＥＤ照明部との２線のみで足りる。そのため、本実施形態に係る照明器具は、従来の照明器具と同様の結線で実現することができ、製造が容易となる。また、ビーコン送信部を同じ結線でＬＥＤ素子と接続することで、ＬＥＤ素子の近くにビーコン送信部を配置することが容易となり、基板上に容易にビーコン送信部を配設することができる。
【００５１】
（第２の実施形態）
図６は、第２の実施形態に係るビーコン送信部とＬＥＤ素子との接続の詳細を表す回路図である。本実施形態に係る照明器具１は、ビーコン送信部１０１がＬＥＤ素子１３１と直列に接続されていることが第１の実施形態と異なる。本実施形態に係る照明器具１の各機能も図２のブロック図で表され、それぞれ第１の実施形態と同様の機能を有する。
【００５２】
［照明器具の構成］
図６に示すように、本実施形態においてもＬＥＤ照明部１０３は、複数のＬＥＤ素子１３１が直列に接続されている。
【００５３】
抵抗１３４は、ＬＥＤ素子１３１と直列に接続されている。
【００５４】
また、ビーコン送信部１０１は、抵抗１３４と並列に接続されている。すなわち、ビーコン送信部１０１は、ＬＥＤ素子１３１と直列に接続されている。
【００５５】
抵抗１３４の抵抗値をＲとすると、抵抗１３４の両端の電圧Ｖは、ｉ×Ｒとなり、定電圧となる。すなわち、ビーコン送信部１０１には電圧Ｖの定電圧が供給される。
【００５６】
［第２の実施形態の効果］
以上に説明したように、本実施形態に係る照明器具は、ビーコン送信部がＬＥＤ素子と直列に接続される。この場合も、ビーコン送信部は容易に電源を確保することができる。また、ＬＥＤ素子は、一般的に定電流制御が行われるため、ＬＥＤ素子と直列にビーコン送信部を接続することで、ビーコン送信部は安定したビーコン送信を行うことができる。
【００５７】
また、第１の実施形態及び２では、ＬＥＤ素子１３１と同じ結線を用いてビーコン通信部１０１に電力を供給したが、電力の供給方法はこれに限らない。例えば、図７のように、ビーコン送信部１０１を、ＬＥＤ電源１０２に直接に接続し、ビーコン送信部１０１をＬＥＤ素子１３１が実装される基板に配設するようにしてもよい。図７は、ビーコン送信部の接続の他の例を表す回路図である。
【００５８】
（第３の実施形態）
次に、第３の実施形態について説明する。本実施形態に係る照明器具は、無線モジュールのアンテナのみを基板のＬＥＤ素子と同じ面上に配設したことが第１の実施形態及び第２の実施形態と異なる。本実施形態に係る各部の動作も第１の実施形態及び第２の実施形態と同様である。
【００５９】
［照明器具の構成］
図８は、第３の実施形態に係る照明器具の一例を示す概略図である。図８は、図４と同様に、照明器具の光源カバー１１０を付けた状態の平面図と光源カバー１１０を取り外した状態の平面図とを合わせて表している。
【００６０】
第１の実施形態では、図４に示すように、無線モジュール２００全体が基板１３３のＬＥＤ素子１３１と同じ面上に配置されているが、アンテナがＬＥＤ素子１３１と同じ面にあれば、無線モジュール２００の配置はこれに限らない。
【００６１】
例えば、図８に示すように、無線モジュール２００のアンテナ２０１は、基板１３３上のパターンとしてＬＥＤ素子１３１と同じ面に配される。アンテナ２０１は、ビーコンを送出する部材であり、アンテナ２０１が基板１３３のＬＥＤ素子１３１と同じ面に配設されることで、ビーコン送信部１０１は、照明器具１の外部に確実にビーコンを送信することができる。
【００６２】
図９は、図８におけるＢ−Ｂ’断面の断面図である。図９に示すように、基板１３３の裏側、すなわちＬＥＤ素子１３１が配設されていない面は、アルミ層１３５で覆われている。そこで、本実施形態では、基板１３３の一部が露出するようにアルミ層１３４を配置する。
【００６３】
無線モジュール２００のアンテナ２０１以外の回路は、基板１３３の露出した部分に配設される。
【００６４】
ここで、本実施形態では、無線モジュール２００のアンテナ２０１以外の回路を基板上に設けたが、実際には、アンテナ２０１が基板１３３のＬＥＤ素子１３１と同じ面に配設されていれば、無線モジュール２００のアンテナ２０１以外の回路は他の場所に配設されてもよい。例えば、無線モジュール２００のアンテナ２０１以外の回路は、アルミ層１３４の中に配置されてもよいし、アルミ層を覆うケースに取り付けられてもよい。
【００６５】
［第３の実施形態の効果］
以上に説明したように、本実施形態に係る照明器具は、アンテナのみが基板のＬＥＤ素子と同じ面に配設されている。これにより、無線モジュールの基板上への配設が容易となり、安定して通信を行う照明器具を容易に製造することができる。
【００６６】
（第４の実施形態）
図１０は、第４の実施形態に係る照明器具のブロック図である。本実施形態に係る照明器具１は、バッテリを有することが第１の実施形態と異なる。本実施形態に係る照明器具１は、例えば、誘導灯などである。以下の説明では、第１の実施形態と同様の機能を有する各部については説明を省略する。
【００６７】
［照明器具の構成］
図１０に示すように、  照明器具１は、ビーコン送信部１０１、ＬＥＤ電源制御部１０２、ＬＥＤ照明部１０３、充電制御部１０４、バッテリ１０５、商用電源側スイッチ１０６、バッテリ側スイッチ１０７、非常用電源制御部１０８、及び電源選択スイッチ１０９を有する。
【００６８】
充電制御部１０４は、電力の供給を商用電源１０から受ける。そして、充電制御部１０４は、商用電源１０から電力供給を受けている場合、商用電源側スイッチ１０６をオンにし、バッテリ側スイッチ１０７をオフにする。また、充電制御部１０４は、電源選択スイッチ１０９をＬＥＤ電源側、すなわちＬＥＤ電源制御部１０２とＬＥＤ照明部１０３とを接続するように切り替える。これにより、商用電源１０から供給された電力が、ＬＥＤ照明部１０３へ供給される。
【００６９】
また、商用電源１０から電力供給を受けている場合、充電制御部１０４は、商用電源１０から供給された電気の電圧をバッテリ１０５の充電電圧に調整する。そして、充電制御部１０４は、電圧を調整した電気をバッテリ１０５に供給する。
【００７０】
これに対して、商用電源１０からの電力供給が停止した場合、充電制御部１０４は、商用電源側スイッチ１０６をオフにし、バッテリ側スイッチ１０７をオンにする。また、充電制御部１０４は、電源選択スイッチ１０９を非常用電源制御部１０８側、すなわち非常用電源制御部１０８とＬＥＤ照明部１０３とを接続するように切り替える。これにより、商用電源１０からＬＥＤ照明部１０３へ繋がる伝送路が切断され、バッテリ１０５から出力される電力が、ＬＥＤ照明部１０３へ供給されるようになる。
【００７１】
バッテリ１０５は、商用電源１０からの電力供給がある場合、商用電源１０から供給された電気を蓄電していく。
【００７２】
そして、商用電源１０からの電力供給が途絶えた場合、バッテリ１０５は、蓄電した電気を出力する。この場合、バッテリ１０５から出力された電力は非常用電源制御部１０８へ送信される。
【００７３】
商用電源側スイッチ１０６は、商用電源１０とＬＥＤ電源制御部１０２とを結ぶ伝送路の接続及び切断を行うスイッチである。商用電源側スイッチ１０６は、商用電源１０からの電力供給がある場合、充電制御部１０４からの指示を受けてオンになる。また、商用電源１０からの電力供給が途絶えた場合、商用電源側スイッチ１０６は、充電制御部１０４からの指示を受けてオフになる。
【００７４】
バッテリ側スイッチ１０７は、バッテリ１０５と非常用電源制御部１０８とを結ぶ伝送路の接続及び切断を行うスイッチである。バッテリ側スイッチ１０７は、商用電源１０からの電力供給が途絶えた場合、充電制御部１０４からの指示を受けてオンになる。また、バッテリ側スイッチ１０７は、商用電源１０から電力の供給が行われた場合、充電制御部１０４からの指示を受けてオフになる。
【００７５】
ＬＥＤ電源制御部１０２は、商用電源１０から電力が供給されている場合、商用電源側スイッチ１０６を介して電気の入力を受ける。そして、ＬＥＤ電源制御部１０２は、受信した電気を交流から直流に変換する。また、ＬＥＤ電源制御部１０２は、ＡＣ／ＤＣ変換した電気の電圧をＬＥＤ照明部１０３の駆動電圧に調整する。そして、ＬＥＤ電圧制御部１０２は、電気を定電流にして電源選択スイッチ１０９を介してＬＥＤ照明部１０３へ入力する。
【００７６】
非常用電源制御部１０８は、商用電源１０からの電力供給が途絶えている場合、バッテリ側スイッチ１０７を介して電気の入力を受ける。そして、非常用電源制御部１０８は、受信した電気をＬＥＤ照明部１０３の駆動電圧に調整する。その後、非常用電源制御部１０８は、電気を定電流にして電源選択スイッチ１０９を介してＬＥＤ照明部１０３へ入力する。
【００７７】
電源選択スイッチ１０９は、ＬＥＤ照明部１０３への電源としてＬＥＤ電源制御部１０２又は非常用電源制御部１０８の何れかを選択するためのスイッチである。電源選択スイッチ１０９は、商用電源１０から電力の供給が行われている場合、充電制御部１０４からの指示を受けて、ＬＥＤ電源制御部１０２とＬＥＤ照明部１０３とを接続する。また、商用電源１０からの電力供給が途絶えた場合、電源選択スイッチ１０９は、充電制御部１０４からの指示を受けて、非常用電源制御部１０８とＬＥＤ照明部１０３とを接続する。
【００７８】
ビーコン送信部１０１は、第１の実施形態と同様に、ＬＥＤ照明部１０３に入力される電気を用いて、予め電文記憶部１１２に記憶されているビーコン電文を送信するビーコンを出力部１１１を用いて出力する。
【００７９】
さらに、充電制御部１０４は、ＬＥＤ照明部１０３への電源供給がバッテリ１０５になったときに、図示しない有線、または無線の送信手段を介してビーコン送信部１０１に所定の信号を送信し、ビーコン送信部１０１はこの信号に応じて出力部１１１から送信する電文の内容を変えてもよい。
【００８０】
［第４の実施形態の効果］
以上に説明したように、本実施形態に係る照明器具は、バッテリを有しており、商用電源からの電力供給が途絶えた場合には、バッテリからの電力によりＬＥＤを点灯し、且つ、ビーコンを出力する。これにより、商用電源が途絶えた場合にも、本実施形態に係る照明器具は、ビーコンの送信を継続することができる。
【００８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１  照明器具
２  端末装置
３  基地局
４  広告用メッセージサーバ
１０  商用電源
１０１  ビーコン送信部
１０２  ＬＥＤ電源制御部
１０３  ＬＥＤ照明部
１０４  充電制御部  
１０５  バッテリ
１０６  商用電源側スイッチ
１０７  バッテリ側スイッチ
１０８  非常用電源制御部
１０９  電源選択スイッチ
１１０  光源カバー
１１１  出力部
１１２  電文記憶部
１３１  ＬＥＤ素子
１３２  電源
１３３  基板
１３４  抵抗
１３５  アルミ層
２００  無線モジュール
【図１】
0006623532.tif 000002
【図２】
0006623532.tif 000003
【図３】
0006623532.tif 000004
【図４】
0006623532.tif 000005
【図５Ａ】
0006623532.tif 000006
【図５Ｂ】
0006623532.tif 000007
【図６】
0006623532.tif 000008
【図７】
0006623532.tif 000009
【図８】
0006623532.tif 000010
【図９】
0006623532.tif 000011
【図１０】
0006623532.tif 000012